(57)【要約】【課題】毛束の結び目をその両側に作った結びにより緊縛させて、接着剤を使わずに結び目を固定し、アレルギー性の人も安心して浮き上がりやずれを起こさないかつらの取り付けができ、しかも、かつらを外すとき結んである糸を切れば自毛は全く傷めることがない毛束の結び目固定構造を提供する。【解決手段】かつら１を頭部２へ取り付ける毛束３の結び目４が解けないように固定する結び目４の固定構造であって、前記毛束３に作った結び目４の両側に、糸等５により毛束３が緊縛されて、しかも、解けにくい結び目６を毛束３の結び目４を挟むように一組作成する。【選択図】　　　　図１
2004052183.tif 000002
【特許請求の範囲】
【請求項１】
かつらを頭部へ取り付ける毛束の結び目が解けないように固定する結び目固定構造であって、
前記毛束に作った結び目の両側に、糸等により毛束が緊縛されて、しかも、解けにくい結び目を一組作成した
ことを特徴とする毛束の結び目固定構造。
【発明の詳細な説明】
【０００１】
【発明の属する技術分野】
本発明は、かつらの取り付け等を行う毛束の結び目が解けないように固定する構造に関する。
【０００２】
【従来の技術】
かつらを頭部へ取り付けるとき自毛のある部分は、この自毛を毛束にしてかつらの取付けを行うと、確実で経済的なかつらの取り付けができる。しかし、毛は弾力性があって滑り易いため、結びが緩んだり解けたりしてかつらの浮き上がりやずれ等を起こす問題点があるので、結び目に接着剤を付けて前記現象を防止している現状である。
【０００３】
しかしながら、結び目を接着剤により固定すると、アレルギー性の人は接着剤に反応して皮膚に炎症等を起こす問題点があり、また、かつらを外すときは、その都度、結び目の接着剤が着いた部分を切り取るので、自毛が損なわれるという問題点もある。
【０００４】
【発明が解決しようとする課題】
本発明は前記問題点を解消し、毛束の結び目をその両側に作った結びにより緊縛させて、接着剤を使わずに結び目を固定し、アレルギー性の人も安心して浮き上がりやずれを起こさないかつらの取り付けができ、しかも、かつらを外すとき結んである糸を切れば自毛は全く傷めることがない毛束の結び目固定構造を提供することをその課題とする。
【０００５】
【課題を解決するための手段】
前記課題を解決するため本発明に係る毛束の結び目固定構造は、下記の構成を採用することを特徴とする。
かつらを頭部へ取り付ける毛束の結び目が解けないように固定する結び目の固定構造であって、前記毛束に作った結び目の両側に、糸等により毛束が緊縛されて、しかも、解けにくい結び目を毛束の結び目を挟むように一組作成する。
【０００６】
【発明の実施の形態】
以下に本発明に係る毛束の結び目固定構造の実施形態を図面に基づいて説明する。
【０００７】
図１はかつらの取付紐を毛束で結び止めるタイプの結び目固定構造を示す正面図である。
この結び目固定構造は、かつら１を頭部２へ取り付ける毛束３の結び目４が解けないように固定する結び目４の固定構造であって、前記毛束３に作った結び目４の両側に、糸等５により毛束３が緊縛されて、しかも、解けにくい結び目６を毛束３の結び目４を挟むように一組形成したものである。
【０００８】
かつら１は、頭髪を補足したり、飾ったり、髪形を変えたりするための全かつら、部分かつら、入毛、付毛、その他、前述の目的が達成される毛髪製品の総てを含むものであり、例えば、全かつら１は、図１に示す通り毛１ａを植え付けた網等の部材１ｂと、この部材１ｂの外周りに取り付けたベース１ｃと、該ベース１ｃに付設した取付紐１ｄとにより構成される。
【０００９】
毛束３は、頭部２に乗せたかつら１の取付紐１ｄを結び止めようとする部分にある自毛の必要数（１０本〜２０本程度が適当）を公知の鉤により掬い上げて一纏めにする。そして、通常は図２に示す通り取付紐１ｄを取り巻くようにひとえ結びにして図３に示す通りの結び目４を作り、取付紐１ｄの結び止めによってかつら１を頭部２へ取り付ける。なお、この際の結び方は、ひとえ結びに限るものではなく、後述する結び方の中から適当なものを選択使用することができる。
【００１０】
毛束３に作った結び目４は、毛が弾力性を有して滑り易いものであるため、結んだままでは結び目４が緩んで遂には解けてしまう。そこで、一般には結び目４を接着剤により接着固定して、結び目４の解けを防止しているが、この場合は、従来の技術に示した通りの問題点を有する。
【００１１】
そこで、本発明は接着剤を使用しない結び目の固定構造として糸等による結び止めを提案するものであり、これに用いる糸等５は、一般に市販される天然繊維、人造繊維等により製造された強くて滑りにくいものを用いる。
【００１２】
糸等５によって毛束３の結び目４の両側に作る結び目６は、結ぶことにより毛束３が強く緊縛されて、しかも、この状態が持続されるためには結び目６が解けにくいことが重要である。このため、結び方は、図４〜図８に示すま結びの他、８字結び、たて結び、男結び、女結び、はた結び、ひきとり結び、もやい結び、すごき結び、ひばり結び、あわび結び、その他の公知の多くの結び方の中から適当なものを選択使用すればよい。
【００１３】
前記のように毛束３の結び目４の両側に作る結び目６は、一方の結び目６と、他方の結び目６とを別々の糸等５により独立するように作ってもよいし、また、同じ糸等５により一方の結び目６を作った後、図５に示すように糸等５を毛束３の結び目４の裏側を通して他方へ移し、他方にも結び目６を作るようにして２つの結び目６が連続しているように作っても良い。
【００１４】
前記のように同じ糸等５により接続された２つの結び目６を作る場合は、毛束３の結び目４の一方から他方へ移した糸等て結び目６を作るときに、出来上がっている一方の結び目６に引き寄せる力を働かせて、一方の結び目６と他方の結び目６とにより毛束３の結び目４を挟み付ける力を強めることができる。
【００１５】
また、糸等５は結び目４の一方から他方へ移すときに、糸等５をかつら１の取付紐１ｄへ図７に示すように巻き付けて巻付け７を作ると、糸等５によっても取付紐１ｄを絡げ止めることができて、結び目４の固定効果を更に向上させ得る。
【００１６】
前述の場合は、いずれも、毛束３によってかつら１の取付紐１ｄを取り巻くように結び目４を作って置き、その後で糸等５による結び目６を作るように説明した。しかし、毛束３に結び目４を作る前に毛束の生え際に糸等５による一方の結び目６を作って置いて、この結び目６を生え際側へしごき寄せてから毛束３により結び目４を作るようにすれば、生え際の糸等５による結び目６が作り易い場合もある。
【００１７】
前記実施形態に示した毛束の結び目固定構造は、かつら１の取付紐１ｄを取り巻くように毛束３で作った結び目４の一方に、糸等５により解けにくい結び方で結び目６を作り、更に、他方にも糸等５により解けにくい結び方で結び目６を作って、毛束３を結び目４の両側において緊縛させる。このため、弾力性があって滑り易い毛も確実に動きを止められ、結び目４が緩んだり解けたりすることがない。従って、接着剤に対するアレルギー性を有する人も安心してかつらの取り付けができて、しかも、この固定手段はかつら１を外すとき、結び目６を作った糸等５を切れば、毛束３の結び目４は簡単に解けて毛を傷めることがないものである。
【００１８】
図９はかつらの取付紐に毛束を結び付けないタイプの結び目固定構造を示す正面図である。
この結び目固定構造は、毛束３をかつら１の取付紐１ｄに結び付けず、取付紐１ｄの外に結び目４を作る。そして、結び目４の一方に糸等５で結び目６を作った後、糸等５を毛束３の結び目４の他方に移すとき、かつら１の取付紐１ｄに糸等５を巻き付けて巻付け７を作り、その後で結び目４の他方に結び目６を作るようにしたものであり、毛束３とかつら１の取付紐１ｄとを糸等５を経て連結するようにした点で図１に示す実施形態とは相違する。しかし、結び目を固定の機能は前記実施形態と同様である。
【００１９】
図１０はかつらに取り付けた係止具を毛束に係止するタイプの結び目固定構造を示す正面図である。
この結び目固定構造は、かつら１に公知の通り髪用のピン、クリップ、その他の係止具８を取り付けて置いて、係止具８がピンの場合は毛束３の中にピンを分け入らせ、クリップの場合は毛束３を挟ませる。そして、その先に毛束３の結び目４を作り、この結び目４の一方と他方に糸等５によって結び目６を作るものであって、毛束の係止具８が係合する部分の先に結び目４を作る点で前記の２実施形態とは相違するが、結び目を固定の機能において同様である。
【００２０】
【発明の効果】
本発明に係る毛束の結び目固定構造は、毛束に作った結び目の両側に結び目を挟むように糸等で解けにくい結び目を作るから、結び目により毛束が緊縛されて
、弾力性があって滑り易い毛も動きを拘束されて結び目の緩みや解けを生ずることがない。従って、かつらの取り付けに接着剤が不必要となってアレルギーの人も安心してかつら取り付けができ、かつらを外すときは、結んだ糸等切れば毛束はそのまま解けて毛の傷みを生じないものである。
【図面の簡単な説明】
【図１】かつらの取付紐を毛束で結び止めるタイプの結び目固定構造を示す正面図である。
【図２】毛束によりかつらの取付紐を取り巻く結び目を作り始めた状態を示す側面図である。
【図３】毛束によりかつらの取付紐を取り巻く結び目を作り終えた状態を示す側面図である。
【図４】毛束で作った結び目の一方に糸等によって結び目を作り始めた状態を示す側面図である。
【図５】毛束で作った結び目の一方に糸等による結び目を作り終えて、糸等を毛束の結び目の他方に移し、他方に糸等による結び目を作り始めた状態を示す側面図である。
【図６】毛束で作った結び目の一方及び他方に該結び目を挟むように糸等による結び目が作られた状態を示す側面図である。
【図７】毛束で作った結び目の一方に糸等による結び目を作り終えて、糸等を毛束の結び目の他方に移すとき、糸等をかつらの取付紐に巻き付けてから結び目の他方に糸等による結び目を作り始めた状態を示す側面図である。
【図８】毛束で作った結び目の一方及び他方に該結び目を挟むよう糸等により結び目を作り、両結び目の間に糸等でかつら取付紐へ巻き付ける巻付けを作った状態を示す側面図である。
【図９】かつらの取付紐に毛束を結び付けないタイプの結び目固定構造示す正面図である。
【図１０】かつらに取り付けた係止具を毛束に係止するタイプの結び目固定構造を示す正面図である。
【符号の説明】
１　かつら
２　頭部
３　毛束
４　毛束の結び目
５　糸等
６　糸等の結び目
【図１】
2004052183.tif 000003
【図２】
2004052183.tif 000004
【図３】
2004052183.tif 000005
【図４】
2004052183.tif 000006
【図５】
2004052183.tif 000007
【図６】
2004052183.tif 000008
【図７】
2004052183.tif 000009
【図８】
2004052183.tif 000010
【図９】
2004052183.tif 000011
【図１０】
2004052183.tif 000012